(57)【要約】【課題】ノートパソコンが正規の操作者以外に不正使用されることをより強固に防止することを目的とする。【解決手段】本体部１２と表示部１３から成り、使用時には表示部を開いて操作を行うノートパソコンであり、表示部を閉じた状態で操作できる位置に配置した電源スイッチ１４と、表示部を閉じた状態で指紋認証が行える位置に配置した認証部１５と、表示部を閉じた状態では表示部はロックされように構成したロック機構部１６とを備え、表示部が閉じた状態から電源スイッチをオン操作し、認証部では指紋認証が許可される操作手順を正しく行うことでロック機構部が解除されるセキュリティ装置であり、既存のセキュリティ機能と、既存セキュリティ機能操作を含めた所定の操作手順を経ることによってはじめてノートパソコンが起動することで不正使用をより強固に防止することができる。【選択図】図１
2008059407.tif 000002
【特許請求の範囲】
【請求項１】
本体部と表示部から成り、不使用時には前記表示部を閉じて、使用時には前記表示部を開いて操作を行う携帯型情報処理装置であって、
前記表示部を閉じた状態で操作者が電源オン操作できる位置に配置した電源スイッチと、
前記表示部を閉じた状態で操作者の認証が行える位置に配置した認証部と、
前記表示部を閉じた状態では前記表示部は前記本体部にロックされ、所定操作手順を行わないと前記表示部が開かないように構成したロック機構部と、を備え、
前記所定操作手順は、前記表示部が閉じた状態から前記電源スイッチをオン操作し、認証部では正規操作者の認証が許可される操作手順であり、当該所定操作手順を正しく行うことで前記ロック機構部が解除されることを特徴とする携帯型情報処理装置のセキュリティ装置。
【請求項２】
前記認証部は生体認証による正規の操作者の認証を行うことを特徴とする請求項１記載の携帯型情報処理装置のセキュリティ装置。
【請求項３】
携帯型情報処理装置が、前記表示部が閉じた状態から前記所定操作手順を行わずに前記表示部が開かれたことを検知した場合は内蔵のハードディスクドライブに記録されたデータの強制消去動作を実行することを特徴とする携帯型情報処理装置のセキュリティ装置。
【発明の詳細な説明】
【技術分野】
【０００１】
本発明は、パーソナルコンピュータのような携帯型情報処理装置（以下、ノートパソコン）の不正な使用を制限するセキュリティ装置に関するものである。
【背景技術】
【０００２】
近年、情報セキュリティに対する関心が高く、ノートパソコンなどの盗難による情報漏洩を防ぐために様々なセキュリティ技術が用いられている。
【特許文献１】特開２００１−１２５６６０号公報
【特許文献２】特開２００３−９９１４７号公報
【発明の開示】
【発明が解決しようとする課題】
【０００３】
従来、ノートパソコンへのアクセスを制限する手段としてパスワード、指紋認証などの生体認証によるノートパソコンの起動動作を制限する手段は講じられているが、まだ充分とは言い難い。
【０００４】
また、一つのセキュリティ機能単独では充分とは言えず、複数のセキュリティ機能がシステムとしてトータルで作動する場合には高い性能を発揮する。また、個々のデバイスが取り外されて盗難にあった場合はそのセキュリティ機能は脆弱である。
【０００５】
本発明は上記従来の問題点を解決するもので、複数のセキュリティ機能を所定の手順を経ることによってはじめてノートパソコンが起動するようにすることで正規の操作者以外の不正使用を防止することを目的とする。
【課題を解決するための手段】
【０００６】
本発明の請求項１に記載の発明は、
本体部と表示部から成り、不使用時には前記表示部を閉じて、使用時には前記表示部を開いて操作を行う携帯型情報処理装置であって、
前記表示部を閉じた状態で操作者が電源オン操作できる位置に配置した電源スイッチと、
前記表示部を閉じた状態で操作者の認証が行える位置に配置した認証部と、
前記表示部を閉じた状態では前記表示部は前記本体部にロックされ、所定操作手順を行わないと前記表示部が開かないように構成したロック機構部と、を備え、
前記所定操作手順は、前記表示部が閉じた状態から前記電源スイッチをオン操作し、認証部では正規操作者の認証が許可される操作手順であり、当該所定操作手順を正しく行うことで前記ロック機構部が解除されることを特徴とする携帯型情報処理装置のセキュリティ装置
としたものであり、
既存のセキュリティ機能と、既存セキュリティ機能操作を含めた所定の操作手順を経ることによってはじめてノートパソコンが起動することで所有者以外の不正使用をより強固に防止することができるという作用を有する。
【発明の効果】
【０００７】
以上のように本発明は、既存のセキュリティ機能と、既存セキュリティ機能操作を含めた所定の操作手順を経ることによってはじめてノートパソコンが起動することで所有者以外の不正使用をより強固に防止することができるという優れた効果が得られる。
【発明を実施するための最良の形態】
【０００８】
以下、本発明の実施の形態について、図１から図２を用いて説明する。
【０００９】
（実施の形態１）
図１は本発明のノートパソコンのセキュリティ装置に関してその起動手順を模式的に示す図である。
【００１０】
図１において、１１はノートパソコン、１２はノートパソコン本体、１３は画像、文字情報を表示する液晶パネルなどで構成された表示部である。
【００１１】
１４はノートパソコンの電源スイッチ、１５は操作者の指の指紋を認識して、それ以外の人が指を認識させようとしても不正使用を排除するシステムの入力部分である指紋認証部であり、いずれも表示部１３を閉じた状態で操作可能な位置に配置されている。本実施の形態では電源スイッチ１４はノートパソコン本体１２の前面部、指紋認証部１５は表示部１３の背面部に配置されている。
【００１２】
１６は表示部１３を開かないようにするロック機構部であり、表示部１３が閉じているときはフック１６―１が穴部１６−２に引っかかっていて開かないが、ノートパソコンを使用できる状態にする場合は、ノートパソコンが所定の条件を満たした場合にのみフック１６―１が穴部１６−２からはずれて表示部１３が開く構成になっている。表示部１３を閉じるときは人為的に閉じることができるが、表示部１３を開くときはノートパソコンが所定の条件を満たした場合にロック機構部１６が自動的に解除され、所定の条件を満たした場合を除き人為的に開くことはできない。
【００１３】
１７はノートパソコンの筐体を組み立てるときにとめるネジであり、表示部１３を閉じた状態（ａ）では外部からは外せない位置に留められている。従って表示部１３が閉じている状態ではノートパソコン本体１２，表示部１３は分解できない構成になっている。
【００１４】
なお、ノートパソコンの筐体は堅牢性に優れた材料、例えばアルミニウムやマグネシウムなどの金属合金で構成するのが好適である。
【００１５】
また、ネジ１７は模式的に示しており、大きさも誇張して示している。実際の製品はネジが表面に出て目立つことがないように筐体に埋め込んだ上に化粧シールされて、外観上は見えない場合が多い。
【００１６】
図２は本発明のノートパソコンのセキュリティ装置における起動処理を示すフローチャートである。
【００１７】
以上のように構成されたノートパソコンのセキュリティ装置の動作について、図１、図２を用いて説明する。
【００１８】
図１において、ノートパソコンの電源スイッチ１４をオンすると、指紋認証部１５が操作者に認証動作を促す動作をする。指紋認証部１５近くに配置したＬＥＤ（図示せず）が点灯、点滅などして操作者に認証動作を促すことでノートパソコンが起動したことと、操作者が指紋認証を促されていると認識することができる。一般には人差し指１８を指紋認証部１５に置く、またはなぞって正規の操作者であることをノートパソコンに認識判断させる。
【００１９】
ノートパソコンは上記指紋認証動作により正規の操作者であると認識すると、ノートパソコンはロック機構部１６を解除し、操作者は表示部１３を開けることができるのと同時にＢＩＯＳ、ＯＳが起動動作を順次行いノートパソコンは使用可能状態になる。
【００２０】
図２のＰＣ起動処理手順において、まず、電源スイッチ１４をオン操作する（Ｓ０１）。表示部１３の開閉状態を判定して（Ｓ０２）、閉じた状態であればノートパソコン電源がオン、指紋認証部１５が操作者に指紋認証を促し、指紋認証判定を行う（Ｓ０３）。指紋認証結果が正規の操作者と判断されれば（Ｓ０４）、ロック機構部１６が解除され表示部１３は開けることが可能となる（Ｓ０５）。表示部１３を開くとＢＩＯＳ、ＯＳが起動動作を順次行いノートパソコンは使用可能状態になる（Ｓ０６）。その後所定時間ノートパソコンの操作が行われないと（Ｓ０７）、操作者がノートパソコンの操作を終了した、またはノートパソコンの設置場所を離れたとの判断よりノートパソコンは電源オフ状態に自動移行する（Ｓ０８）。
【００２１】
電源スイッチ１４をオン（Ｓ０１）操作をしても、表示部１３の開いている状態であれば（Ｓ０２）、ノートパソコンは起動しない、電源オフ状態を維持する（Ｓ０９）。ノートパソコンが電源オフ状態で、かつ表示部１３が閉じられた状態から電源スイッチ１４をオン操作、指紋認証部１５による指紋認証判定の手順を経ずに表示部１３が開けられたことをノートパソコンが検知した場合は（Ｓ１０）、著しい不正使用が行われたものとの判断から、例えばバールのような工具で表示部１３をこじ開けるような行為がなされたと判断して、ハードディスク（ＨＤＤ）のデータ消去を強制実行する（Ｓ１１）。これによりノートパソコンを分解してハードディスクを取り出し、ハードディスク内に記録されたデータを不正にコピーするといった機密データの漏洩を防止することができる。
【００２２】
なお、図示はないがノートパソコンは使用可能状態（Ｓ０６）から、表示部１３が閉じる操作が行われた場合、ノートパソコンは電源オフ移行をする。
【００２３】
図１，図２とその説明によれば、表示部１３を閉じた状態、かつ電源スイッチ１４のオン操作、指紋認証が正規になされてロック機構部１６が解除、表示部１３は開くことが可能となる。つまり、指紋認証というセキュリティ機能だけでなく、表示部閉状態−電源スイッチオン操作−指紋認証の手順が正しい順番で行われなければノートパソコンは使用可能とならないシステムとなっている。また、著しい不正使用との判断がなされればハードディスク（ＨＤＤ）のデータ消去を強制実行するといった機密データの漏洩防止機能が作動する。  以上のように本実施の形態によれば、既存のセキュリティ機能と、既存セキュリティ機能操作を含めた所定の操作手順を経ることによってはじめてノートパソコンが起動することで所有者以外の不正使用をより強固に防止することができる。
【００２４】
なお、指紋認証部１５を表示部１３の背面部に配置したが、１０キーを表示部１３の背面部に配置して暗証番号を入力するようにしてもよいし、他の種類（音声認識、静脈認証等）の生体認証機能を配置しても良いことは言うまでもない。
【産業上の利用可能性】
【００２５】
本発明にかかる携帯型情報処理装置のセキュリティ装置は、既存のセキュリティ機能と、既存セキュリティ機能操作を含めた所定の操作手順を経ることによってはじめてノートパソコンが起動することで所有者以外の不正使用をより強固に防止することができる効果を有し、パーソナルコンピュータのような携帯型情報処理装置の不正な使用を制限するセキュリティ装置等として有用である。
【図面の簡単な説明】
【００２６】
【図１】本発明のノートパソコンのセキュリティ装置に関してその起動手順を模式的に示す図
【図２】本発明のノートパソコンのセキュリティ装置における起動処理を示すフローチャート
【符号の説明】
【００２７】
１１  ノートパソコン
１２  ノートパソコン本体
１３  表示部
１４  電源スイッチ
１５  指紋認証部
１６  ロック機構部
１６―１  フック
１６−２  穴部
１７  ネジ
１８  使用者の指
【図１】
2008059407.tif 000003
【図２】
2008059407.tif 000004